(57)【要約】【課題】電線が圧接端子に圧接される際、電線の芯線が切断されること、および圧接端子が損傷されることを、圧接処理コストを増加させることなく防止することができる電線と圧接端子との接続構造を提供すること。【解決手段】屈曲された状態で電線Ｗが保持される屈曲電線保持部７０を有し、屈曲電線保持部７０の表面７０ｂから圧接端子３２に向けられる側の端面７０ｃを通って背面７０ｄ側に折り返すようにして屈曲された電線Ｗの屈曲部Ｗｂが圧接端子３２に圧接される電線と圧接端子との接続構造１において、屈曲電線保持部７０は、電線Ｗが圧接端子３２に対応して位置決め配置されるように電線Ｗを間にして向かい合うように対で設けられるとともに、電線Ｗの延在方向に沿って延びる電線位置決めガイド面７１ａを有してなり、対で設けられる電線位置決めガイド面７１ａは、端面７０ｃに向けて互いの間隔が広がるように形成されてなる。【選択図】図１１
2014232694.tif 000002
【特許請求の範囲】
【請求項１】
屈曲された状態で電線が保持される屈曲電線保持部を有し、該屈曲電線保持部の表面から圧接端子に向けられる側の端面を通って背面側に折り返すようにして屈曲された前記電線の屈曲部が圧接端子に圧接されることによって前記電線と前記圧接端子とが電気的に接続される電線と圧接端子との接続構造において、
前記屈曲電線保持部は、
前記電線が前記圧接端子に対応して位置決め配置されるように前記電線を間にして向かい合うように対で設けられるとともに、前記電線の延在方向に沿って延びる電線位置決めガイド面を有してなり、
前記対で設けられる電線位置決めガイド面は、
前記圧接端子に向けられる側の端面に向けて互いの間隔が広がるように形成されてなることを特徴とする電線と圧接端子との接続構造。
【請求項２】
前記対で設けられる電線位置決めガイド面は、
前記圧接端子に向けられる側の端面での互いの間隔が前記圧接端子の圧接溝の溝入口開口の幅に比して小さくなるように設定されていることを特徴とする請求項１に記載の電線と圧接端子との接続構造。
【発明の詳細な説明】
【技術分野】
【０００１】
本発明は、電線が圧接端子に圧接されることによって電線と圧接端子とが接続される電線と圧接端子との接続構造に関する。
【背景技術】
【０００２】
従来、電線と端子との接続構造は、電線が圧接端子に圧接されることによって電線と圧接端子とが電気的に接続されるようになっている。このような電線と端子との接続構造は、圧接端子の圧接溝内に電線が圧入されることによって電線の導体部としての芯線の外周を覆う絶縁被覆部が剥がれ、露出された芯線に圧接溝の溝内側面を構成する一対の圧接刃が接続される。例えば、特許文献１には、屈曲された状態で電線が保持される屈曲電線保持部を有し、屈曲電線保持部の表面から圧接端子に向けられる側の端面を通って背面側に折り返すようにして屈曲された電線の屈曲部が圧接端子に圧接されることによって電線と圧接端子とが電気的に接続される電線と圧接端子との接続構造が記載されている。
【先行技術文献】
【特許文献】
【０００３】
【特許文献１】特開２００４−１６５０５５号公報
【発明の概要】
【発明が解決しようとする課題】
【０００４】
しかしながら、特許文献１に記載された電線と圧接端子との接続構造は、屈曲電線保持部、あるいは圧接端子等の各部の寸法公差、ガタツキ等が原因となって、電線の中心軸が一対の圧接刃の間の中心に対してずれて圧接溝内に圧入された場合、すなわち一対の圧接刃のうち一方の圧接刃に偏った方向にずれた状態で、電線が圧接溝内に圧入された場合、圧接端子が芯線の径方向内側に向けて必要以上に切り込まれることによって芯線が切断されるおそれ、あるいは一方の圧接刃に過剰な荷重がかかることによって圧接刃が変形され、結果的に圧接端子を損傷させてしまうおそれがあった。
このような問題を解消する為、寸法公差を厳しく管理することによって電線の中心軸が一対の圧接刃の間の中心に位置されながら電線が圧接溝内に圧入されるようにすることが可能である。しかしながら、管理コストが増加することによって、結果的に圧接処理コストが増加してしまうという問題があった。
【０００５】
本発明は、上記に鑑みてなされたものであって、電線が圧接端子に圧接される際、電線の芯線が切断されること、および圧接端子が損傷されることを、圧接処理コストを増加させることなく防止することができる電線と圧接端子との接続構造を提供することを目的とする。
【課題を解決するための手段】
【０００６】
上述した課題を解決し、目的を達成するために、本発明の請求項１に係る電線と圧接端子との接続構造は、屈曲された状態で電線が保持される屈曲電線保持部を有し、該屈曲電線保持部の表面から圧接端子に向けられる側の端面を通って背面側に折り返すようにして屈曲された前記電線の屈曲部が圧接端子に圧接されることによって前記電線と前記圧接端子とが電気的に接続される電線と圧接端子との接続構造において、前記屈曲電線保持部は、前記電線が前記圧接端子に対応して位置決め配置されるように前記電線を間にして向かい合うように対で設けられるとともに、前記電線の延在方向に沿って延びる電線位置決めガイド面を有してなり、前記対で設けられる電線位置決めガイド面は、前記圧接端子に向けられる側の端面に向けて互いの間隔が広がるように形成されてなることを特徴とする。
【０００７】
また、本発明の請求項２に係る電線と圧接端子との接続構造は、上記の発明において、前記対で設けられる電線位置決めガイド面は、前記圧接端子に向けられる側の端面での互いの間隔が前記圧接端子の圧接溝の溝入口開口の幅に比して小さくなるように設定されていることを特徴とする。
【発明の効果】
【０００８】
本発明の請求項１に係る電線と圧接端子との接続構造は、前記電線の中心軸が前記圧接端子の一対の圧接刃の間の中心に対してずれて圧接溝内に圧入された場合、すなわち一対の圧接刃のうち一方の圧接刃に偏った方向にずれた状態で、前記電線が圧接溝内に圧入された場合、前記電線が前記一対の電線位置決めガイド面の間で中心軸が一対の圧接刃の間の中心に位置されるように位置調整されながら圧接溝内に圧入されるので、前記圧接端子が前記電線の芯線の径方向内側に向けて必要以上に切り込まれることによって芯線が切断されるおそれが無く、あるいは一方の圧接刃に過剰な荷重がかかり圧接刃が変形されることによって、前記圧接端子が損傷されるおそれが無く、さらには、寸法公差を厳しく管理する必要が無くなるため、結果的に前記電線が前記圧接端子に圧接される際、前記電線の芯線が切断されること、および前記圧接端子が損傷されることを、圧接処理コストを増加させることなく防止することができる。
【０００９】
本発明の請求項２に係る電線と圧接端子との接続構造は、前記電線が前記圧接端子の前記圧接溝入口開口の幅よりも小さい範囲で前記圧接溝入口開口の幅方向に移動可能になっているため、前記電線を前記圧接溝入口開口内に確実に誘導することができる。
【図面の簡単な説明】
【００１０】
【図１】図１は、本発明の実施例に係る電線と圧接端子との接続構造が組み込まれた照明装置の分解斜視図である。
【図２】図２は、図（ａ）が図１に示した照明装置のコネクタ受け部周辺の拡大図であり、図（ｂ）が図（ａ）の側面図である。
【図３】図３は、図１に示した圧接コネクタの拡大図である。
【図４】図４は、図３に示した圧接コネクタの分解斜視である。
【図５】図５は、図３に示した操作レバーが取り付けられる前の圧接コネクタの上面図および側面図である。
【図６】図６は、図５に示した屈曲電線保持部の圧接端子に向けられる側の端面周辺を拡大して示した図である。
【図７】図７は、圧接コネクタの組み立て手順を示した図である。
【図８】図８は、圧接コネクタの組み立て手順を示した図である。
【図９】図９は、圧接コネクタの組み立て手順を示した図である。
【図１０】図１０は、圧接コネクタをハウジングに組み付ける手順を斜視図にて示したものである。
【図１１】図１１は、図１０（ｂ）のコネクタ受け部周辺を拡大して示した図である。
【図１２】図１２は、圧接コネクタをハウジングに組み付ける前の状態を側面図で示したものである。
【図１３】図１３は、圧接コネクタをハウジングに組み付ける手順を側面図および上面図を用いて示したものである。
【図１４】図１４は、圧接コネクタをハウジングに組み付ける手順を側面図および上面図を用いて示したものである。
【図１５】図１５は、電線の屈曲部が中心軸の位置が移動されながら圧接端子の圧着溝に圧入されることを説明するための図である。
【発明を実施するための形態】
【００１１】
以下、図面を参照して、本発明に係る電線と圧接端子との接続構造の好適な実施例を詳細に説明する。
図１は、本発明の実施例に係る電線と圧接端子との接続構造１が組み込まれた照明装置１００の分解斜視図である。図２は、図（ａ）が図１に示した照明装置１００のコネクタ受け部２１周辺の拡大図であり、図（ｂ）が図（ａ）の側面図である。図３は、図１に示した圧接コネクタ６０の拡大図である。図４は、図３に示した圧接コネクタ６０の分解斜視である。図５は、図３に示した操作レバーが取り付けられる前の圧接コネクタ６０の上面図および側面図である。図６は、図５に示した屈曲電線保持部７０の圧接端子３２に向けられる側の端面周辺を拡大して示した図である。
本発明の実施例に係る電線と圧接端子との接続構造１は、例えば、自動車の室内天井に配置される照明装置１００に組み込まれるものであり、照明装置１００の外部にある不図示の電源に接続される電線Ｗと、照明装置１００内に組み込まれ、電源供給端子として機能される圧接端子３２との接続構造である。
この電線と圧接端子との接続構造１は、４本の電線Ｗが屈曲された状態で保持される屈曲電線保持部７０を有し、この屈曲電線保持部７０の表面７０ｂから圧接端子３２に向けられる側の端面７０ｃ（以下、「圧接端子側端面」という。）を通って背面７０ｄ側に折り返すようにして屈曲された前記電線Ｗの屈曲部Ｗｂが圧接端子３２に圧接されることによって電線Ｗと圧接端子３２とが電気的に接続されるようになっている。
以下、照明装置１００の構成を説明しつつ、その照明装置１００に組み込まれる電線と圧接端子との接続構造１について説明する。
【００１２】
照明装置１００は、図１に示すように、光が照射される側の面を形成するとともに集光機能を有してなるレンズ１０と、照明装置１００の各種部品が組み込まれるハウジング２０と、圧接端子３２を含む導電路を形成するバスバー３０と、照明装置１００の操作部分となるスイッチ操作部４０と、光源としてのバルブ５０と、不図示の電源に接続される４本の電線Ｗを保持し、各電線Ｗをハウジング２０内に設置された圧接端子３２に圧接させる圧接コネクタ６０と、を有してなる。
【００１３】
まず、ハウジング２０について説明する。
ハウジング２０は、合成樹脂材からなり、照明装置１００の上述した各種部品が組み込まれるようになっている。
このハウジング２０は、圧接コネクタ６０が電線Ｗを圧接端子３２に接続させた状態で保持されるコネクタ受け部２１を有してなる。このコネクタ受け部２１は、図２に示すように、後述する操作レバー８０に設けられた一対の回動軸８４が軸支される一対の軸受け部２２と、圧接コネクタ６０を取り付け完了位置にて固定する一対のロック開口部２３と、圧接コネクタ６０の取り付けのための移動をガイドするガイド壁部２４とを有してなる。
【００１４】
一対の軸受け部２２は、圧接コネクタ６０の操作レバー８０に設けられた一対の回動軸８４を回動自在に支持する部分である。
各軸受け部２２は、ハウジング２０の上面から柱状に突設され、圧接コネクタ６０の回動軸８４の後述する曲面部８４ａが摺接される曲面受け部２２ａと、回動軸８４の後述する平面部８４ｂが当接されることによって操作レバー８０の回動動作を規制する回動規制突出壁部２２ｂと、を有してなる。
【００１５】
一対のロック開口部２３は、電線Ｗが圧接端子３２に圧接完了された状態で圧接コネクタ６０を固定するためのものである。各ロック開口部２３は後述するコネクタ端部ガイド壁部２５の上端部に形成された開口であり、操作レバー８０に設けられた各ロック用突起８５が操作レバー８０の回動操作完了位置にて、各ロック用突起８２に嵌め込まれることによって、圧接コネクタ６０がハウジング２０に固定されるようになっている。
【００１６】
ガイド壁部２４は、回動軸８４が設けられる側とは逆側の圧接コネクタ６０の端部を間に配置するようにハウジング２０の上面から板状に突設された壁からなる一対のコネクタ端部ガイド壁部２５と、屈曲電線保持部７０の背面７０ｄが摺接される平面状の摺接面部２６と、屈曲電線保持部７０が圧接端子３２に向けてスライド移動されるように圧接コネクタ６０の両側部および上面を囲うように摺接面部２６に立設されてなる囲い状ガイド壁部２７と、を有してなる。
【００１７】
次に、バスバー３０について説明する。
バスバー３０は、導電性を有する金属板をプレス装置等によって所定形状に抜き打ち、折り曲げ加工を施すことによって形成される導電回路体である。このバスバー３０は、複数箇所に貫通された孔からなる固定用貫通孔３１が形成されてなり、ハウジング２０の複数箇所に設けられた溶着ピン２８が各固定用貫通孔３１内に挿通され、溶着されることによってハウジング２０に対して位置決め固定されるようになっている。
このようなバスバー３０は、屈曲電線保持部７０によって保持された４本の電線Ｗが圧接される圧接端子３２が各電線Ｗの並び位置に対応して４箇所に設けられている。各圧接端子３２は、略Ｕ字状に切り欠かれた圧接溝３２ａが形成されてなり、この圧接溝３２ａ内に電線Ｗが圧入されることによって電線Ｗの導体部としての芯線Ｗｃ（図３参照）の外周を覆う絶縁被覆部Ｗｄが剥がれ、露出された芯線Ｗｃに圧接溝３２ａの溝内側面を構成する一対の圧接刃３２ｂが接続されることによって各電線Ｗが圧接されるようになっている。
【００１８】
また、圧接端子３２は、一対の圧接刃３２ｂの各圧接刃３２ｂは刃先には互いの圧接刃３２ｂとの間隔が刃先に向けて広がるように傾斜され、電線Ｗの圧接溝３２ａ内への移動をガイドするガイド傾斜面部３２ｃが形成されてなる。
【００１９】
次に、スイッチ操作部４０について説明する。
スイッチ操作部４０は、バルブ５０の点灯消灯を切替え操作するための操作部であり、この実施例では動作モードに応じた３つのスイッチ操作部４０が設けられるようになっている。各スイッチ操作部４０は、図１に示すように、コンタクト４１を介してバスバー３０に接続されるようになっている。
【００２０】
次に、圧接コネクタ６０について説明する。
圧接コネクタ６０は、電線Ｗが屈曲された状態で保持される屈曲電線保持部７０と、屈曲電線保持部７０のハウジング２０への取り付け、および取り外しの移動を操作する部分となる操作レバー８０と、を有してなる。
【００２１】
屈曲電線保持部７０は、４本の電線Ｗが屈曲電線保持部７０の表面７０ｂから圧接端子側端面７０ｃを通って背面７０ｄ側に折り返すようにして屈曲された状態で保持されるようになっている。
この屈曲電線保持部７０は、各電線Ｗが圧接端子３２に対応して位置決め配置されるように電線Ｗを間にして向かい合うように対で設けられるとともに、電線Ｗの延在方向に沿って延びる電線位置決めガイド面７１ａを有してなる。
【００２２】
屈曲電線保持部７０は、より具体的には、略直方体形状の電線保持本体部７０ａを有し、この電線保持本体部７０ａの表面７０ｂから圧接端子側端面７０ｃを通って背面７０ｄに折り返すように延びるとともに溝内に各電線Ｗが保持されるように形成されてなる４つの電線保持溝７１が並んで形成され、各電線保持溝７１の電線Ｗの側部に向かい合わされる側の面が電線位置決めガイド面７１ａを構成するようになっている。
なお、電線位置決めガイド面７１ａは電線保持溝７１の内面によって構成されるものに限らず、電線保持本体部７０ａの表面に突設された壁の側面によって構成されるものであっても構わない。
【００２３】
また、屈曲電線保持部７０は、電線保持本体部７０ａの両側面に突設されてなる一対のカム軸７２と、一対のスライドガイド軸７３と、を有してなる。
各カム軸７２は、操作レバー８０に形成された後述する各カム溝８２に嵌め込まれることによって、操作レバー８０が回動操作された場合、カム溝８２の溝内縁面に摺接されながら移動されるようになっている。
また、各スライドガイド軸７３は、操作レバー８０に形成された後述する各スライドガイド溝８３に嵌め込まれることによって、操作レバー８０が回動操作された場合、スライドガイド溝８３の溝内縁面に摺接されながら移動されるようになっている。
【００２４】
操作レバー８０は、屈曲電線保持部７０の両側部の外側に位置される一対のレバー側壁部８１ａ、および操作面を形成するレバー操作壁部８１ｂを有してなる横断面コの字状のレバー本体部８１を有してなる。
各レバー側壁部８１ａには、屈曲電線保持部７０に設けられた各カム軸７２が嵌め込まれるカム溝８２と、および各スライドガイド軸７３が嵌め込まれるスライドガイド溝８３と、操作レバー８０の回動動作の支点となる一対の回動軸８４とが設けられている。
【００２５】
回動軸８４は、断面半円状の円弧部分を形成する曲面部８４ａと、直線部分を形成する平面部８４ｂとを有してなり、曲面部８４ａが曲面受け部２２ａに摺接されながら操作レバー８０が回動され、平面部８４ｂが回動規制突出壁部２２ｂに当接されることによって操作レバー８０の回動動作が規制されるようになっている。
また、各レバー側壁部８１ａには、ロック用突起８５が設けられ、各ロック用突起８５がハウジング２０に形成された各ロック開口部２３に嵌め込まれることによって、圧接コネクタ６０がハウジング２０に固定されるようになっている。
【００２６】
このような圧接コネクタ６０は、圧接コネクタ６０をハウジング２０に取り付けるために操作レバー８０が回動操作された場合、各カム軸７２が各カム溝８２に摺接され、各スライドガイド軸７３が各スライドガイド溝８３に摺接され、さらに屈曲電線保持部７０の底面がハウジング２０の摺接面部２６に摺接されながら屈曲電線保持部７０が圧接端子３２に向けてスライド移動されるようになっている。
すなわち、屈曲電線保持部７０は、操作レバー８０の回動操作によって、回動軸８４が支点となり、レバー操作壁部８１ｂが力点となり、カム溝８２が作用点となって梃子の原理が作用し、操作レバー８０の各カム溝８２を介して屈曲電線保持部７０の各カム軸７２に伝達された力がカム機構の作用によって屈曲電線保持部７０が摺接面部２６に摺接されながら圧接端子３２に向けてスライド移動される力に変換されるようになっている。
なお、屈曲電線保持部７０は、各スライドガイド軸７３と各スライドガイド溝８３とによって作用されるガイド機能、および囲い状ガイド壁部２７によって作用されるガイド機能によって操作レバー８０に対して回転されないように圧接端子３２に向けてスライド移動されるようになっている。
【００２７】
ここで、屈曲電線保持部７０についてさらに詳細に説明する。
この屈曲電線保持部７０は、各電線Ｗに対応した一対の電線位置決めガイド面７１ａが、図５および図６に示すように、圧接端子側端面７０ｃに向けて互いの間隔が広がるように形成されてなる。
このため、各電線Ｗの屈曲部Ｗｂが一対の電線位置決めガイド面７１ａの間で移動できるようになっている。すなわち、各電線Ｗの屈曲部Ｗｂが各圧接端子３２の一対の圧接刃３２ｂの刃先部分に当接開始された場合、圧接溝３２ａ内に向けて位置調整されながら移動できるようになっている。
【００２８】
また、各電線Ｗに対応して対で設けられる電線位置決めガイド面７１ａは、圧接端子側端面７０ｃに向けて互いの間隔が漸次広がるように形成されてなる。
このため、電線Ｗの屈曲部Ｗｂが一対の電線位置決めガイド面７１ａの一方の電線位置決めガイド面７１ａに向けて移動された場合、電線Ｗがその一方の電線位置決めガイド面７１ａに沿って緩やかに曲げられた形状で電線位置決めガイド面７１ａに当接されることになる。
これにより、電線Ｗの屈曲部Ｗｂが一対の電線位置決めガイド面７１ａの間で移動された場合であっても、電線Ｗが一方の電線位置決めガイド面７１ａに向けて大きく屈曲されることがなく、電線Ｗの屈曲部Ｗｂが一対の電線位置決めガイド面７１ａの間で移動され易いようになっている。
さらに、対で設けられる電線位置決めガイド面７１ａは、圧接端子側端面７０ｃでの互いの間隔が圧接端子３２の圧接溝入口開口３２ｄの幅に比して小さくなるように設定されているため、各電線Ｗが各圧接端子３２の圧接溝入口開口３２ｄの幅よりも小さい範囲で圧接溝入口開口３２ｄの幅方向に移動可能になっているため、各電線Ｗが圧接溝入口開口３２ｄ内に確実に誘導されるようになっている。
【００２９】
次に、図７−図９を用いて圧接コネクタ６０の組み立て手順を説明する。
図７−図９は、圧接コネクタ６０の組み立て手順を示した図である。
この作業は、屈曲電線保持部７０への電線Ｗの取り付け作業を補助するための冶具である冶具図板２００を用いて行われる。この冶具図板２００は、板状の作業台２１０の上面に棒状に突設され、電線Ｗが屈曲されながら配索される複数の配索ガイド棒２２０と、屈曲電線保持部７０を所定位置にて固定するための固定セット部２３０とを有してなる。
【００３０】
まず、作業者は、屈曲電線保持部７０を圧接端子側端面７０ｃが上向きになるように固定セット部２３０にセットする（図７参照）。これにより、各電線Ｗが屈曲電線保持部７０の圧接端子側端面７０ｃ側から各電線保持溝７１内に嵌め込まれることができるように屈曲電線保持部７０が作業台２１０上に固定される。
【００３１】
その後、作業者は、各電線Ｗを屈曲電線保持部７０の各電線保持溝７１に嵌め込む（図８参照）。この作業では、各電線Ｗが配索ガイド棒２２０にて屈曲され、張力が調整された状態で各電線保持溝７１内に嵌め込まれる。また、各電線Ｗが屈曲電線保持部７０の圧接端子側端面７０ｃから各電線保持溝７１内に嵌め込まれることによって、屈曲電線保持部７０の表面７０ｂから圧接端子側端面７０ｃを通って背面７０ｄ側に折り返すようにして屈曲された状態で各電線Ｗが屈曲電線保持部７０に取り付けられる。
【００３２】
その後、作業者は、電線Ｗが取り付けられた屈曲電線保持部７０を冶具図板２００から取り外した後、折り返された電線Ｗの端末部にてテープＴによって４本の電線Ｗを束ねる（図９（ｅ）参照）。
【００３３】
最後に、作業者は、操作レバー８０を屈曲電線保持部７０に取り付けることによって圧接コネクタ６０の組み立て作業を完了させる（図９（ｆ）参照）。この作業は、一対のレバー側壁部８１ａの間隔を広げるようにして各レバー側壁部８１ａを撓ませながら、各カム軸７２を各カム溝８２に嵌め込み、各スライドガイド軸７３を各スライドガイド溝８３に嵌め込むことによって行われる。
【００３４】
次に、図１０−図１２を用いて圧接コネクタ６０をハウジング２０に組み付ける手順について説明する。
図１０は、圧接コネクタ６０をハウジング２０に組み付ける手順を斜視図にて示したものである。図１１は、図１０（ｂ）のコネクタ受け部２１周辺を拡大して示した図である。図１２は、圧接コネクタ６０をハウジング２０に組み付ける前の状態を側面図で示したものである。図１３および図１４は、圧接コネクタ６０をハウジング２０に組み付ける手順を側面図および上面図を用いて示したものである。なお、図１３および図１４は、左の側面図と右の上面図とが同一の組み付け状態を示している。図１５は、電線Ｗの屈曲部Ｗｂが中心軸の位置が移動されながら圧接端子３２の圧着溝３２ａに圧入されることを説明するための図である。
【００３５】
まず、作業者は、圧接コネクタ６０の一対の回動軸８４を各軸受け部２２にセットする（図１０（ｂ），図１１，図１３（ａ）参照）。この作業では、各回動軸８４の曲面部８４ａが各曲面受け部２２ａに載置され、各曲面受け部２２ａによって各回動軸８４が回動可能に支えられるとともに、屈曲電線保持部７０が摺接面部２６上に載置された状態となる。
【００３６】
その後、作業者は、操作レバー８０の回動操作を開始することによって、屈曲電線保持部７０を圧接端子３２に向けて移動開始させる（図１３（ｂ）参照）。この作業では、操作レバー８０の回動操作によって、屈曲電線保持部７０が梃子の原理、およびカム機構を利用して圧接端子３２に向けてスライド移動開始される。
【００３７】
その後、作業者は、さらに操作レバー８０の回動操作を続け、一対のロック用突起８５を各ロック開口部２３に嵌め込むことによって、圧接コネクタ６０をハウジング２０に組み付ける作業を完了させる（図１０（ｃ），図１４（ｃ）参照）。この作業によって、屈曲電線保持部７０に保持された各電線Ｗが各圧接端子３２に圧接完了される。
ここで、図１５に示すように、電線Ｗの中心軸Ｃ１が一対の圧接刃３２ｂの間の中心Ｃ２に対してずれて圧接溝３２ａ内に圧入された場合、すなわち一対の圧接刃３２ｂのうち一方の圧接刃３２ｂに偏った方向にずれた状態で、電線Ｗが圧接溝３２ａ内に圧入された場合、電線Ｗの屈曲部Ｗｂが一対の電線位置決めガイド面７１ａの間で電線Ｗの中心軸Ｃ１が一対の圧接刃３２ｂの間の中心Ｃ２に位置されるように位置が調整されながら圧接溝３２ａ内に圧入される。また、各電線Ｗが一対のガイド傾斜面部３２ｃに摺接されることによって、各電線Ｗが滑らかに中心軸Ｃ１が一対の圧接刃３２ｂの間の中心Ｃ２に位置されるように位置調整されながら圧接溝３２ａ内に圧入される。
【００３８】
本発明の実施例に係る電線と圧接端子との接続構造１は、電線Ｗの中心軸Ｃ１が圧接端子３２の一対の圧接刃３２ｂの間の中心Ｃ２に対してずれて圧接溝３２ａ内に圧入された場合、すなわち一対の圧接刃３２ｂのうち一方の圧接刃３２ｂに偏った方向にずれた状態で、電線Ｗが圧接溝３２ａ内に圧入された場合、電線Ｗが一対の電線位置決めガイド面７１ａの間で中心軸Ｃ１が一対の圧接刃３２ｂの間の中心Ｃ２に位置されるように位置調整されながら圧接溝３２ａ内に圧入されるので、圧接端子３２が電線Ｗの芯線Ｗｃの径方向内側に向けて必要以上に切り込まれることによって芯線Ｗｃが切断されるおそれが無く、あるいは一方の圧接刃３２ｂに過剰な荷重がかかり圧接刃３２ｂが変形されることによって、圧接端子３２が損傷されるおそれが無く、さらには、寸法公差を厳しく管理する必要が無くなるため、結果的に電線Ｗが圧接端子３２に圧接される際、電線Ｗの芯線Ｗｃが切断されること、および圧接端子３２が損傷されることを、圧接処理コストを増加させることなく防止することができる。
【００３９】
また、本発明の実施例に係る電線と圧接端子との接続構造１は、電線Ｗの屈曲部Ｗｂが一対の電線位置決めガイド面７１ａの一方の電線位置決めガイド面７１ａに向けて移動された場合、電線Ｗがその一方の電線位置決めガイド面７１ａに沿って緩やかに曲げられた形状で電線位置決めガイド面７１ａに当接されることになるため、電線Ｗが一対の電線位置決めガイド面７１ａの間で移動された場合であっても、電線Ｗが一方の電線位置決めガイド面７１ａに向けて大きく屈曲されることがなく、電線Ｗが一対の電線位置決めガイド面７１ａの間で移動され易くなり、結果的に、圧接端子３２に対して電線Ｗが容易に位置調整され易くなる。
【００４０】
また、本発明の実施例に係る電線と圧接端子との接続構造１は、電線Ｗが圧接端子３２の圧接溝入口開口３２ｄの幅よりも小さい範囲で圧接溝入口開口３２ｄの幅方向に移動可能になっているため、電線Ｗを圧接溝入口開口３２ｄ内に確実に誘導することができる。
【００４１】
また、本発明の実施例に係る電線と圧接端子との接続構造１は、各電線Ｗが一対のガイド傾斜面部３２ｃに摺接されることによって、各電線Ｗがより滑らかに中心軸Ｃ１が一対の圧接刃３２ｂの間の中心Ｃ２に位置されるように位置調整されながら圧接溝３２ａ内に圧入されるので、電線Ｗの芯線Ｗｃが切断されること、および圧接端子３２が損傷されることをより確実に防止することができる。
【００４２】
なお、本発明の実施例に係る電線と圧接端子との接続構造１は、屈曲電線保持部７０の表裏に電線位置決めガイド面７１ａが設けられるものを例示したが、これに限らず、電線Ｗが屈曲電線保持部７０の表面７０ｂから圧接端子側端面７０ｃを通って背面７０ｄ側に折り返すようにして屈曲された状態で屈曲電線保持部７０に保持されるようになっていればよい。例えば、電線位置決めガイド面７１ａが屈曲電線保持部７０の表面７０ｂのみに設けられるようになっていても構わない。
【００４３】
また、本発明の実施例に係る電線と圧接端子との接続構造１は、４本の電線Ｗが圧接端子３２に圧接されるものを例示したが、電線Ｗの本数はこれに限らない。すなわち１本以上の電線Ｗが圧接端子３２に圧接されるようになっていればよい。
【００４４】
また、本発明の実施例に係る電線と圧接端子との接続構造１は、屈曲電線保持部７０が操作レバー８０によって移動操作されることによって、電線Ｗが圧接端子３２に圧接されものを例示したが、これに限らず、操作レバー８０を用いないものであっても構わない。すなわち、作業者が直接的に屈曲電線保持部７０を圧接端子３２に向けて押しこむことによって、電線Ｗが圧接端子３２に圧接されるようにしても構わない。
【００４５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４６】
１        電線と圧接端子との接続構造
１０      レンズ
２０      ハウジング
２１      コネクタ受け部
２２      軸受け部
２２ａ    曲面受け部
２２ｂ    回動規制突出壁部
２３      ロック開口部
２４      ガイド壁部
２５      コネクタ端部ガイド壁部
２６      摺接面部
２７      囲い状ガイド壁部
２８      溶着ピン
３０      バスバー
３１      固定用貫通孔
３２      圧接端子
３２ａ    圧接溝
３２ｂ    圧接刃
３２ｃ    ガイド傾斜面部
３２ｄ    圧接溝入口開口
４０      スイッチ操作部
４１      コンタクト
５０      バルブ
６０      圧接コネクタ
７０      屈曲電線保持部
７０ａ    電線保持本体部
７０ｂ    表面
７０ｃ    圧接端子側端面
７０ｄ    背面
７１      電線保持溝
７１ａ    電線位置決めガイド面
７２      カム軸
７３      スライドガイド軸
８０      操作レバー
８１      レバー本体部
８１ａ    レバー側壁部
８１ｂ    レバー操作壁部
８２      カム溝
８３      スライドガイド溝
８４      回動軸
８４ａ    曲面部
８４ｂ    平面部
８５      ロック用突起
１００    照明装置
２００    冶具図板
２１０    作業台
２２０    配索ガイド棒
２３０    固定セット部
Ｗ        電線
Ｗｂ      屈曲部
Ｗｃ      芯線
Ｗｄ      絶縁被覆部
Ｔ        テープ
【図１】
2014232694.tif 000003
【図２】
2014232694.tif 000004
【図３】
2014232694.tif 000005
【図４】
2014232694.tif 000006
【図５】
2014232694.tif 000007
【図６】
2014232694.tif 000008
【図７】
2014232694.tif 000009
【図８】
2014232694.tif 000010
【図９】
2014232694.tif 000011
【図１０】
2014232694.tif 000012
【図１１】
2014232694.tif 000013
【図１２】
2014232694.tif 000014
【図１３】
2014232694.tif 000015
【図１４】
2014232694.tif 000016
【図１５】
2014232694.tif 000017